(57)【要約】【課題】作業用デッキに可動デッキを有する場合に、固定デッキに対する可動デッキの重量負荷を軽減させて強度を補うことができ、作業用デッキの撓みや傾き等を防止して、作業者が安全に作業を行える移動昇降式足場をとする。【解決手段】ガイドマスト２０と、これに着脱自在であってガイドマスト２０に沿って昇降移動する駆動部３０と、駆動部３０に略水平状態で設置されてこれと共に昇降移動する作業用デッキ４０とを有する移動昇降式足場１０で、作業用デッキ４０は、駆動部３０に固定された固定デッキ６０と、固定デッキ６０に配設されて略水平方向に可動する可動デッキ７０とを有し、固定デッキ６０上に配設されて、駆動部３０と共にガイドマスト２０に沿って昇降移動する補助部５０を有し、補助部５０から固定デッキ６０における所定の被保持部６１の間に配設されて、固定デッキ６０に掛かる可動デッキ７０の荷重を補助する保持部８０を有している。【選択図】図１
2020056266.tif 000002
【特許請求の範囲】
【請求項１】
ガイドマストと、該ガイドマストに着脱自在であって装着状態で前記ガイドマストに沿って昇降移動する駆動部と、該駆動部に略水平状態で設置されて前記駆動部と共に昇降移動する作業用デッキとを有する移動昇降式足場であって、
前記作業用デッキは、前記駆動部に固定された固定デッキと、該固定デッキに配設されて略水平方向に可動する可動デッキとを有しており、
前記固定デッキ上に配設されて、前記駆動部と共に前記ガイドマストに沿って昇降移動する補助部を有しており、
前記補助部から前記固定デッキにおける所定の被保持部の間に配設されて、前記固定デッキに掛かる前記可動デッキの荷重を補助する保持部を有していることを特徴とする移動昇降式足場。
【請求項２】
前記保持部は、前記補助部の上部から前記被保持部に対して斜め下方に延びるワイヤ部材で構成されていることを特徴とする請求項１に記載の移動昇降式足場。
【請求項３】
前記補助部は、その上部から略水平方向に突出形成された突出部を有しており、
前記ワイヤ部材は、前記突出部と前記被保持部を連結するように構成されていることを特徴とする請求項２に記載の移動昇降式足場。
【請求項４】
前記被保持部には、前記固定デッキの側方に略水平方向に延びる延長部を有しており、
該延長部に前記ワイヤ部材が固定されていることを特徴とする請求項２又は３に記載の移動昇降式足場。
【請求項５】
前記可動デッキは、前記固定デッキに対して略水平方向にスライド移動するスライドデッキであることを特徴とする請求項１乃至４の何れか一項に記載の移動昇降式足場。
【請求項６】
前記可動デッキは、前記固定デッキに対して略水平方向に回動する回動デッキであることを特徴とする請求項１乃至４の何れか一項に記載の移動昇降式足場。
【発明の詳細な説明】
【技術分野】
【０００１】
この発明は、構造物の施工や補修、解体等に用いる移動昇降式足場に関するものである。
【背景技術】
【０００２】
従来、例えば倉庫やビル、煙突等の所定の高さを有する構造物の外壁を施工したり、既存の外壁の補修を行ったり、構造物を解体したりする場合に、作業を行う外壁に沿うように足場を設置し、その足場を用いて作業することが行われている。
【０００３】
また、このような足場の中には、ガイドマストに沿って作業用デッキが上下動する移動昇降式足場（例えば、特許文献１参照）があり、この移動昇降式足場を用いて作業を行うことも考えられている。
【先行技術文献】
【特許文献】
【０００４】
【特許文献１】特許第５２９９９８２号公報
【発明の概要】
【発明が解決しようとする課題】
【０００５】
ところで、前記した特許文献１のような従来の移動昇降式足場において、作業用デッキの一部がスライドデッキや回動デッキ等の可動デッキとなったものが考えられる。しかしながら、このような可動デッキは、可動状況を向上させるためにできるだけ軽量としなければならず、その結果、強度が弱くなる虞がある、というジレンマを抱えていた。また、移動昇降式足場の設置状況によっては、スライドデッキ等の可動デッキのスライド幅を長く取る必要があるときもあり、このような場合には、さらに強度の問題が深刻になる可能性があった。このような状況では、可動デッキに作業者が乗っていると、可動デッキを支持している固定デッキがその荷重に耐えられず、結果として、作業用デッキが撓んだり傾いたりする可能性があり、作業中の安全面において問題となる虞があった。
【０００６】
そこで、この発明は、作業用デッキに可動デッキを有する場合に、固定デッキに対する可動デッキの重量負荷を軽減させて、固定デッキ及び可動デッキの強度を補うことができ、その結果、作業用デッキの撓みや傾き等を防止して、作業者が安全に作業を行うことができる移動昇降式足場を提供することを課題としている。
【課題を解決するための手段】
【０００７】
かかる課題を達成するために、請求項１に記載の発明は、ガイドマストと、該ガイドマストに着脱自在であって装着状態で前記ガイドマストに沿って昇降移動する駆動部と、該駆動部に略水平状態で設置されて前記駆動部と共に昇降移動する作業用デッキとを有する移動昇降式足場であって、前記作業用デッキは、前記駆動部に固定された固定デッキと、該固定デッキに配設されて略水平方向に可動する可動デッキとを有しており、前記固定デッキ上に配設されて、前記駆動部と共に前記ガイドマストに沿って昇降移動する補助部を有しており、前記補助部から前記固定デッキにおける所定の被保持部の間に配設されて、前記固定デッキに掛かる前記可動デッキの荷重を補助する保持部を有している移動昇降式足場としたことを特徴とする。
【０００８】
また、請求項２に記載の発明は、請求項１に記載の構成に加え、前記保持部は、前記補助部の上部から前記被保持部に対して斜め下方に延びるワイヤ部材で構成されている移動昇降式足場としたことを特徴とする。
【０００９】
また、請求項３に記載の発明は、請求項２に記載の構成に加え、前記補助部は、その上部から略水平方向に突出形成された突出部を有しており、前記ワイヤ部材は、前記突出部と前記被保持部を連結するように構成されている移動昇降式足場としたことを特徴とする。
【００１０】
また、請求項４に記載の発明は、請求項２又は３に記載の構成に加え、前記被保持部には、前記固定デッキの側方に略水平方向に延びる延長部を有しており、該延長部に前記ワイヤ部材が固定されている移動昇降式足場としたことを特徴とする。
【００１１】
また、請求項５に記載の発明は、請求項１乃至４の何れか一項に記載の構成に加え、前記可動デッキは、前記固定デッキに対して略水平方向にスライド移動するスライドデッキである移動昇降式足場としたことを特徴とする。
【００１２】
また、請求項６に記載の発明は、請求項１乃至４の何れか一項に記載の構成に加え、前記可動デッキは、前記固定デッキに対して略水平方向に回動する回動デッキである移動昇降式足場としたことを特徴とする。
【発明の効果】
【００１３】
請求項１に記載の発明によれば、固定デッキ上に配設されて駆動部と共にガイドマストに沿って昇降移動する補助部から固定デッキにおける所定の被保持部の間に、固定デッキに掛かる可動デッキの荷重を補助する保持部が配設されているため、固定デッキに対する可動デッキの重量負荷を軽減させることができ、固定デッキ及び可動デッキの強度を補うことができ、その結果、作業用デッキの撓みや傾き等を防止して、作業者が安全に作業を行うことができる。また、このように固定デッキ及び可動デッキの強度を補うことができるため、従来より可動デッキの可動範囲を広げても、安全に作業を行うことができるものである。
【００１４】
また、請求項２に記載の発明によれば、保持部が補助部の上部から被保持部に対して斜め下方に延びるワイヤ部材で構成されているため、簡単に設置を行うことができ、効率良く安全対策を行うことができる。
【００１５】
また、請求項３に記載の発明によれば、ワイヤ部材が補助部の上部から略水平方向に突出形成された突出部と被保持部を連結するようになっているため、ワイヤ部材を被保持部により近い位置から延ばすことができ、その結果、より上方に吊り上げる力が働きやすくなり、より効率良く安全対策を行うことができる。
【００１６】
また、請求項４に記載の発明によれば、被保持部における固定デッキの側方に略水平方向に延びる延長部にワイヤ部材が固定されるようになっているため、ワイヤ部材が作業用デッキから離れたところを通るようにすることができ、作業者の作業の邪魔にならないで固定デッキを支持することができる。
【００１７】
また、請求項５に記載の発明によれば、可動デッキが固定デッキに対して略水平方向にスライド移動するスライドデッキであるため、スライドデッキのような、固定デッキから離れる方向に可動デッキを延ばして作業用デッキの作業範囲を広げる構成を有している場合に、効率良く安全対策を行うことができる。
【００１８】
また、請求項６に記載の発明によれば、可動デッキが固定デッキに対して略水平方向に回動する回動デッキであるため、固定デッキに対して回動という不安定になりがちな動作を行う回動デッキを有する場合に、作業用デッキの作業範囲を広げると共に効率良く安全対策を行うことができる。
【図面の簡単な説明】
【００１９】
【図１】この実施の形態に係る移動昇降式足場を示す斜視図である。
【図２】同実施の形態に係る移動昇降式足場を他の角度から見た斜視図である。
【図３】同実施の形態に係る移動昇降式足場を煙突の周囲に複数配置した状態を示す平面図である。
【図４】同実施の形態に係る移動昇降式足場の補助部を示す単品斜視図である。
【図５】同実施の形態に係る移動昇降式足場の補助部を他の角度から見た単品斜視図である。
【図６】同実施の形態に係る移動昇降式足場の補助部の一部を示す単品平面図である。
【図７】同実施の形態に係る移動昇降式足場の補助部の一部を示す単品正面図である。
【図８】同実施の形態に係る移動昇降式足場の補助部の一部を示す単品側面図である。
【図９】同実施の形態に係る移動昇降式足場の補助部とマストの係合状態を示す拡大斜視図である。
【図１０】同実施の形態に係る移動昇降式足場の補助部とマストの係合状態を他の角度から見た拡大斜視図である。
【図１１】同実施の形態に係る移動昇降式足場の補助部とマストの係合状態をさらに他の角度から見た拡大斜視図である。
【図１２】同実施の形態に係る移動昇降式足場の補助部とマストの係合状態をまたさらに他の角度からみた拡大斜視図である。
【図１３】同実施の形態に係る移動昇降式足場の補助部とマストの係合状態を示す拡大正面図である。
【図１４】同実施の形態に係る移動昇降式足場の補助部とマストの係合状態を示す拡大平面図である。
【図１５】同実施の形態に係る移動昇降式足場の補助部とマストの係合状態を示す拡大側面図である。
【発明を実施するための形態】
【００２０】
以下、この発明の実施の形態について説明する。
【００２１】
図１〜図１５には、この発明の実施の形態を示す。
【００２２】
この実施の形態の移動昇降式足場１０は、図１〜図３に示すように、ガイドマスト２０と、駆動部３０と、作業用デッキ４０と、補助部５０と、保持部としてのワイヤ部材８０とを有して構成されている。また、この実施の形態では、１つのガイドマスト２０に駆動部３０が取り付けられ、この駆動部３０に作業用デッキ４０が配設されている。また、作業用デッキ４０上の所定箇所には、補助部５０が取り付けられており、この補助部５０が、駆動部３０と作業用デッキ４０と共に、ガイドマスト２０に沿って昇降移動するようになっている。そして、この補助部５０の一部から作業用デッキ４０の一部に対してワイヤ部材８０が配設されている。
【００２３】
なお、この実施の形態では、図３に示すように、構造物としての煙突Ｃの解体作業に当たって、当該煙突Ｃの外壁Ｗに沿って、複数の移動昇降式足場１０を配置して、煙突Ｃを囲むように配置されるようになっている。
【００２４】
このうち、この実施の形態のガイドマスト２０は、煙突Ｃの外壁Ｗに沿って略垂直方向に設置されるようになっており、ここでは約９０°の間隔を空けて４本設置されている。また、図９〜図１５に示すように、ガイドマスト２０は、複数の棒状部材２５を組んで略三角柱形状に形成されており、図１〜図３に示すように、外壁Ｗに接続する壁つなぎ部２１を有している。この壁つなぎ部２１は、複数本のステー２２を有しており、これらを介して外壁に固定されている。なお、外壁の形状が複雑な場合には、油圧等で伸び縮みするバックル式壁つなぎ材等を使用してガイドマスト２０を外壁に取り付けるようになっていても良い。
【００２５】
また、この実施の形態では、図１〜図３に示すように、ガイドマスト２０のそれぞれに駆動部３０が取り付けられている。この駆動部３０は、フレーム３１と、モータ（図示省略）と、ガイドマスト２０の上下方向に沿って設けられたラック２３に歯合するピニオンギア３２（図９，図１０，図１２，図１３，図１５参照）とを有しており、モータの駆動力でピニオンギア３２を回転させ、このピニオンギア３２とラック２３とが歯合することでガイドマスト２０に対して駆動部３０を上下動させるように構成されている。また、フレーム３１には、後述する補助部４０と同様のガイドローラ（図示省略）が設けられており、このガイドローラによって、ガイドマスト２０に対してスムーズに上下動可能となっている。
【００２６】
また、駆動部３０のフレーム３１の上部には、作業用デッキ４０が設けられている。この実施の形態では、作業用デッキ４０は１つのガイドマスト２０に取り付けられた駆動部３０に配置されている。この作業用デッキ４０は、駆動部３０の上下動に従ってガイドマスト２０に沿って上下動するようになっている。また、作業用デッキ４０は、図３に示すように、駆動部３０に取り付けられた固定デッキ６０（図３における外周側のデッキ）と、当該固定デッキ６０に配設されて固定デッキ６０から略水平方向に可動する可動デッキ７０（図３における固定デッキ６０と煙突Ｃの間に配置されているデッキ）とで構成されている。この実施の形態では、可動デッキ７０として、固定デッキ６０に対して略水平方向にスライド移動して出し入れされるスライドデッキ７０が設けられている。また、ここでは、１つの固定デッキ６０に対して、複数のスライドデッキ７０（２つ又は４つ）が配設されている。また、この実施の形態のスライドデッキ７０は、固定デッキ６０から内側方向（煙突Ｃ方向）に延びるように形成されている。このように、作業用デッキ４０における固定デッキ６０と煙突Ｃの外壁Ｗとの隙間をスライドデッキ７０がスライド移動して埋めることで、作業を効率良く安全に行うことができるようになっている。
【００２７】
また、この実施の形態では、作業用デッキ４０上の位置における駆動部３０及び作業用デッキ４０に、図４〜図８に示すような補助部５０が取り付けられている。また、この補助部５０は、ガイドマスト２０に沿って配置される本体部５３と、当該本体部５３の上部位置から細長形状に略水平方向に延びる突出部５２とを有しており、図１１に示すように、本体部５３が作業用デッキ４０にボルトＢ等で固定されている。また、この実施の形態では、突出部５２が本体部５３の左右方向と前方にそれぞれ形成されている。詳しくは、本体部５３の左右方向に略棒状に延びる棒状突出部５２ａと、本体部５３の前方に略コ字状に延びるコ字状突出部５２ｂとを有している。
【００２８】
また、補助部５０の本体部５３と棒状突出部５２ａとの間には、棒状突出部５２ａを支持するための補強部５４が設けられている。この実施の形態では、左右の棒状突出部５２ａから斜め下方に突出して本体部５３の側面下方と繋がる補強部５４が形成されている。なお、この実施の形態では形成されていないが、前方のコ字状突出部５２ｂから斜め下方に突出して本体部５３の前面下方と繋がる補強部や、側方の棒状突出部５２ａから斜め前方に突出して前方のコ字状突出部５２ｂと繋がる補強部が形成されていても良い。また、突出部５２は、図４，図５に示すように、それぞれ断面略方形状のパイプ材で構成されている。
【００２９】
また、棒状突出部５２ａの略先端部とコ字状突出部５２ｂの先端側略角部に、保持部としてのワイヤ部材８０の一端が配設されている。また、固定デッキ６０の所定位置が被保持部６１として保ワイヤ部材８０の他端が配設されている。このように、ワイヤ部材８０が突出部５２と被保持部６１の間に緊張状態で固定されていることで、固定デッキ６０の重量を支持するようになっており、これによって、固定デッキ６０に対するスライドデッキ７０（特にスライドして内側に出された状態）の重量負荷を軽減させることができる。
【００３０】
また、この実施の形態では、被保持部６１には、固定デッキ６０の下部において略水平方向の側方（デッキの短手方向）の両側に延びる略棒状の延長部６２が設けられており、この延長部６２の略先端に、棒状突出部５２ａとコ字状突出部５２ｂからそれぞれ延びたワイヤ部材８０が取り付けられている。このような構成により、ワイヤ部材８０が作業用デッキ４０の固定デッキ６０から離れた位置を通って固定デッキ６０を支持する構造となり、作業用デッキ４０で作業する作業者がワイヤ部材８０が設けられている位置を通っても作業の邪魔にならないように構成されている。また、突出部５２の２箇所から出た２本のワイヤ部材８０が固定デッキ６０を挟んだ２箇所の延長部６２に取り付けられていることで、安定した状態でワイヤ部材８０が固定デッキ６０を支持することができるようになっている。なお、固定デッキ６０における被保持部６１の位置は、作業用デッキ４０の重量や形状、固定デッキ６０と可動デッキ７０の支持構造等によって最適な支持ポイントを計算した上で決定されるようになっている。
【００３１】
また、補助部５０には、図４〜図１５に示すように、複数のガイドローラ５１が設けられており、このガイドローラ５１が、ガイドマスト２０の縦方向に延びる棒状部材２５に対して係合するようになっており、これにより補助部５０がスムーズに上下動可能に構成されると共に補助部５０の荷重をガイドマスト２０で受けるように構成されている。
【００３２】
詳述すると、図１０，図１４に示すように、２つのガイドローラ５１ａで棒状部材２５を前後方向から挟持していることで、補助部５０の前後方向の動きを規制している。この実施の形態では、このような２つのガイドローラ５１ａでの挟持箇所を、１つの棒状部材２５に対して２箇所有しており、２本の棒状部材２５に対して、このような挟持箇所を有している。また、ガイドローラ５１ａが滑らかな凹形状となっているため、２つのガイドローラ５１ａで棒状部材２５を挟持すると、棒状部材２５を包み込むように挟持することができる。これにより、左右方向の動きも規制することができるようになっている。これらにより、補助部５０をガイドマスト２０に保持しつつ、スムーズな上下動が可能となっている。
【００３３】
さらに、補助部５０には、棒状部材２５に対して外側から当接するガイドローラ５１ｂを複数有しており、この実施の形態では、１本の棒状部材２５に対して２つのガイドローラ５１ｂが当接する箇所が２箇所設けられている。このガイドローラ５１ｂは１つの板状部材５１ｃに取り付けられており、その板状部材５１ｃが軸５１ｄを中心として所定範囲回動するように構成されている。これにより、ガイドローラ５１ｂがより棒状部材２５に追随し易くなっている。このようなガイドローラ５１ｂを左右の外側に設置していることで左右方向の動きをより確実に規制するようになっている。また、補助部５０が上下動する際によりスムーズに移動できるようになっている。
【００３４】
なお、作業用デッキ４０は、この実施の形態の解体作業において埃が立つ作業を行う際や、施工作業や補修作業において塗装やブラスト等の作業を行う際には、側面及び天面をビニルやメッシュ素材等の飛散防止養生部材（図示省略）で覆うようになっていても良い。この飛散防止養生部材により、作業用デッキ４０を覆ってブラスト作業や塗装作業を行うことで、作業を行っても塗料等が飛散せず、環境に配慮しながら効率良く作業を行うことができるものである。
【００３５】
次に、前記した移動昇降式足場１０を用いて、構造物としての煙突Ｃを解体する方法について、図１〜図１５を用いて説明する。ここでは、煙突Ｃを上側から順に切り落としていって、最終的に煙突Ｃ全体を解体する作業について説明する。
【００３６】
まず、煙突Ｃの周囲に、必要な高さ（ここでは煙突Ｃの最上部に到達できる位置）のガイドマスト２０を略９０°の間隔を空けて４つ設置し、ガイドマスト２０を壁つなぎ部２１で煙突Ｃの外壁Ｗに固定する。次に、ガイドマスト２０にそれぞれ駆動部３０を設置し、駆動部３０に作業用デッキ４０を取り付ける。その後、ガイドマスト２０の作業用デッキ４０上に、補助部５０を設置し、駆動部３０と作業用デッキ４０と補助部５０を固定する。
【００３７】
次に、ガイドマスト２０に沿って、移動昇降式足場１０の作業用デッキ４０を煙突Ｃの最上部まで移動させ、補助部５０の棒状突出部５２ａとコ字状突出部５２ｂにワイヤ部材８０の一端をそれぞれ取り付け、それぞれの他端を固定デッキ６０の所定位置の被保持部６１の側方の両側位置に突出形成された延長部６２の略先端に取り付け、緊張状態に保持する。
【００３８】
このとき、固定デッキ６０及び可動デッキとしてのスライドデッキ７０の荷重は、直接及びワイヤ部材８０を介して補助部５０と駆動部３０で受けるようになっており、さらに、補助部５０と駆動部３０はガイドローラ５１を介してガイドマスト２０のみに設置されており、その荷重はガイドマスト２０のみで受けるようになっており、ガイドマスト２０が壁つなぎ部２１で煙突Ｃの外壁Ｗに設置されている。
【００３９】
そのため、煙突Ｃの外壁Ｗに固定されているのはガイドマスト２０のみであり、安定した作業を行うことができると共に、作業用デッキ４０の上下方向への移動時に、その都度、外壁Ｗから作業用デッキ４０との固定部を取り外すような場合と比べて、簡単に移動させることができる。その結果、作業効率を向上させることができる。
【００４０】
その後、固定デッキ６０からスライドデッキ７０をスライド移動させて内側に取り出して固定し、固定デッキ６０と煙突Ｃの外壁Ｗとの隙間を埋めて作業場所を確保した上で、煙突Ｃを上側所定長さの位置で切る。当該位置での作業が終わったら、スライドデッキ７０をしまって作業用デッキ４０を所定高さだけ下方に移動させ、当該位置で再び煙突Ｃを切る。これを繰り返して最下部まで行き、煙突Ｃが全て撤去できたら作業終了となる。なお、ガイドマスト２０は、作業位置が低くなるにつれて高さを低くしていっても良いし、最後にまとめて撤去するようになっていても良い。
【００４１】
以上のように、この実施の形態の移動昇降式足場１０によれば、固定デッキ６０上に配設されて駆動部３０と共にガイドマスト２０に沿って昇降移動する補助部５０から固定デッキ６０における所定の被保持部６１の間に、固定デッキ６０に掛かるスライドデッキ（可動デッキ）７０の荷重を補助する保持部８０が配設されているため、固定デッキ６０に対するスライドデッキ（可動デッキ）７０の重量負荷を軽減させることができ、固定デッキ６０及びスライドデッキ（可動デッキ）７０の強度を補うことができ、その結果、作業用デッキ４０の撓みや傾き等を防止して、作業者が安全に作業を行うことができる。また、このように固定デッキ６０及びスライドデッキ（可動デッキ）７０の強度を補うことができるため、従来よりスライドデッキ（可動デッキ）７０の可動範囲を広げても、安全に作業を行うことができるものである。
【００４２】
また、この実施の形態の移動昇降式足場１０によれば、保持部が補助部５０の上部から被保持部６１に対して斜め下方に延びるワイヤ部材８０で構成されているため、簡単に設置を行うことができ、効率良く安全対策を行うことができる。
【００４３】
また、この実施の形態の移動昇降式足場１０によれば、ワイヤ部材８０が補助部５０の上部から略水平方向に突出形成された突出部５２と被保持部６１を連結するようになっているため、ワイヤ部材８０を被保持部６１により近い位置から延ばすことができ、その結果、より上方に吊り上げる力が働きやすくなり、より効率良く安全対策を行うことができる。
【００４４】
また、この実施の形態の移動昇降式足場１０によれば、被保持部６１における固定デッキ６０の側方に略水平方向に延びる延長部６２にワイヤ部材８０が固定されるようになっているため、ワイヤ部材８０が作業用デッキ４０から離れたところを通るようにすることができ、作業者の作業の邪魔にならないで固定デッキ６０を支持することができる。
【００４５】
また、この実施の形態の移動昇降式足場１０によれば、可動デッキが固定デッキ６０に対して略水平方向にスライド移動するスライドデッキ７０であるため、スライドデッキ７０のような、固定デッキ６０から離れる方向に可動デッキ７０を延ばして作業用デッキ４０の作業範囲を広げる構成を有している場合に、効率良く安全対策を行うことができる。
【００４６】
なお、本発明は、前記した実施の形態のようなものに限らず、他の構成、他の使用状況にも適用できる。
【００４７】
例えば、本発明は、煙突以外の種々の建物等の構造物についての解体作業に用いることができ、さらに解体作業に限らず、外壁塗替え作業等の補修作業や施工作業に用いることもできる。
【００４８】
また、前記した実施の形態では、１つのガイドマスト２０に駆動部３０を設置し、当該１つの駆動部３０に１つの作業用デッキ４０を設置し、その上方に補助部５０を有しており、当該補助部５０から固定デッキ６０における所定の被保持部５１に対して保持部８０が配設されるようになっていたが、これに限らず、２つ以上のガイドマストにそれぞれ駆動部を設置して当該２つ以上の駆動部に１つの作業用デッキを設置してその上方に補助部を設ける構成となっていても良い。
【００４９】
また、作業用デッキは、前記したように駆動部に設置された固定デッキと当該固定デッキに対して可動デッキとしてスライド移動するスライドデッキを有する構成となっているものに限らず、駆動部に設置された固定デッキと当該固定デッキに対して可動デッキとして回動する回動デッキを有する構成となっていても良い。このようになっていると、可動デッキが固定デッキに対して略水平方向に回動する回動デッキであるため、固定デッキに対して回動という不安定になりがちな動作を行う回動デッキを有する場合に、作業用デッキの作業範囲を広げると共に効率良く安全対策を行うことができる。
【００５０】
また、固定デッキに対してスライドデッキと回動デッキの双方を有する構成となっていても良い。さらに、スライドデッキに回動デッキが設置されていたり、回動デッキにスライドデッキが設置されていたり、スライドデッキにスライドデッキが設置されていたり、回動デッキに回動デッキが設置されていたりしても良い。
【００５１】
このようになっていれば、スライドデッキや回動デッキやそれらが組み合わさったデッキ等の種々のデッキ状態において、本願の保持部を用いて安全性の高い状態を簡易に作り出すことができる。
【００５２】
また、補助部は、前記した実施の形態で記載したものに限らず、適宜の形状のものを使用することができる。例えば、本体部から略水平方向に突出した突出部が所謂Ｈ鋼材で構成されていても良い。
【符号の説明】
【００５３】
１０  移動昇降式足場
２０  ガイドマスト
２１  壁つなぎ部
２２  ステー
２３  ラック
２５  棒状部材
３０  駆動部
３１  フレーム
３２  ピニオンギア
４０  作業用デッキ
５０  補助部
５１，５１ａ，５１ｂ  ガイドローラ
５１ｃ  板状部材
５１ｄ  軸
５２  突出部
５２ａ  棒状突出部
５２ｂ  コ字状突出部
５３  本体部
５４  補強部
６０  固定デッキ
６１  被保持部
６２  延長部
７０  スライドデッキ（可動デッキ）
８０  ワイヤ部材（保持部）
Ｂ  ボルト
Ｃ  煙突（構造物）
Ｗ  外壁
【図１】
2020056266.tif 000003
【図２】
2020056266.tif 000004
【図３】
2020056266.tif 000005
【図４】
2020056266.tif 000006
【図５】
2020056266.tif 000007
【図６】
2020056266.tif 000008
【図７】
2020056266.tif 000009
【図８】
2020056266.tif 000010
【図９】
2020056266.tif 000011
【図１０】
2020056266.tif 000012
【図１１】
2020056266.tif 000013
【図１２】
2020056266.tif 000014
【図１３】
2020056266.tif 000015
【図１４】
2020056266.tif 000016
【図１５】
2020056266.tif 000017